(57)【要約】      （修正有）【課題】チャイルドシートを安定的に車内のシート部に固定するチャイルドシートの固定部材を提供する。【解決手段】背凭れ部と、背凭れ部と連結される座部と、背凭れ部の底部に設けられるベース５３からなるチャイルドシートにおけるベースの底部に設けられるチャイルドシートの固定部材１０において、該固定部材はベースの底部に固定される中空の収容パイプ１１と、該収容パイプに伸縮自在に収容される長部２１及び該長部と垂直する短部２３とを有するＬ字形の固定パイプ２０と、該固定パイプに設けられると共に、挿入部と掛止部を有するＬ字形の掛止部材３０と、を備えることを特徴とする。【選択図】図３
0003106433.tif 000002
【実用新案登録請求の範囲】
【請求項１】
背凭れ部と、背凭れ部と連結される座部と、背凭れ部の底部に設けられるベースからなるチャイルドシートにおけるベースの底部に設けられるチャイルドシートの固定部材において、
該固定部材はベースの底部に固定される中空の収容パイプと、該収容パイプに伸縮自在に収容される長部及び該長部と垂直する短部とを有するＬ字形の固定パイプと、該固定パイプに設けられると共に、挿入部と掛止部を有するＬ字形の掛止部材と、を備えることを特徴とするチャイルドシートの固定部材。
【請求項２】
前記固定パイプにおける長部の末端に外側へ突出する弾性部材が設けられると共に、短部に複数の位置決め孔が形成され、更に、掛止部材における挿入部は固定パイプの短部に挿入されると共に、挿入部に短部の位置決め孔と係止する位置決め部材が設けられ、前記掛止部はプレート状であることを特徴とする請求項１に記載のチャイルドシートの固定部材。
【請求項３】
前記ベースの底部における固定部材の間に収容部を有する略Ｃ字状の収容止め具が設けられることを特徴とする請求項１又は２に記載のチャイルドシートの固定部材。
【考案の詳細な説明】
【技術分野】
【０００１】
本考案は、特にチャイルドシートを安定的に車内のシート部に固定するチャイルドシートの固定部材に関するものである。
【背景技術】
【０００２】
図５に示すように、従来のチャイルドシート（５０）は、シート本体（５１）が車内のシート部（６０）の座部（６１）に設けられ、シートベルト（６３）はチャイルドシート（５０）の背凭れ部（５２）及び座部（５１）に貫通された後、シート部（６０）の側部における係止部材（符号なし）と係止される。
【考案の開示】
【考案が解決しようとする課題】
【０００３】
しかしながら、急ブレーキの際には、前記従来のチャイルドシート（５０）は不安定であることから、車の前方へ移動することがあり、この時がチャイルドシート（５０）における乳児や幼児の首に非常に大きな衝撃を与えてしまう恐れがある。
【０００４】
そこで、案出されたのが本考案であって、チャイルドシートを安定的に車内のシート部に固定するチャイルドシートの固定部材を提供することを目的としている。
【課題を解決するための手段】
【０００５】
本願の請求項１の考案は、背凭れ部と、背凭れ部と連結される座部と、背凭れ部の底部に設けられるベースからなるチャイルドシートにおけるベースの底部に設けられるチャイルドシートの固定部材において、
該固定部材はベースの底部に固定される中空の収容パイプと、該収容パイプに伸縮自在に収容される長部及び該長部と垂直する短部とを有するＬ字形の固定パイプと、該固定パイプに設けられると共に、挿入部と掛止部を有するＬ字形の掛止部材と、を備えることを特徴とするチャイルドシートの固定部材及び、
本願の請求項２の考案は、前記固定パイプにおける長部の末端に外側へ突出する弾性部材が設けられると共に、短部に複数の位置決め孔が形成され、更に、掛止部材における挿入部は固定パイプの短部に挿入されると共に、挿入部に短部の位置決め孔と係止する位置決め部材が設けられ、前記掛止部はプレート状であることを特徴とする請求項１に記載のチャイルドシートの固定部材及び、
本願の請求項３の考案は、前記ベースの底部における固定部材の間に収容部を有する略Ｃ字状の収容止め具が設けられることを特徴とする請求項１又は２に記載のチャイルドシートの固定部材、を提供する。
【考案の効果】
【０００６】
本考案は上記の課題を解決するものであり、チャイルドシートの底部に設けられ、車内のシート部の座部に掛止するコ字形の固定部材を用いて、チャイルドシートを安定的にシート部の座部に設置するので、乳児や幼児の乗車時の安全性を高めることができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係るチャイルドシートの固定部材によりチャイルドシートを車内のシート部に固定した状態を示す側面図であり、図２は本考案に係るチャイルドシートの固定部材を示す分解斜視図であり、図３は本考案に係るチャイルドシートの固定部材を示す側面断面図であり、図４は本考案に係るチャイルドシートの固定部材を収容した状態を示す斜視図である。
【０００９】
図１に示すように、本考案に係るチャイルドシートの固定部材（１０）は背凭れ部（５２）と、背凭れ部（５２）と連結される座部（５１）と、背凭れ部（５２）の底部に設けられるベース（５３）からなるチャイルドシート（５０）におけるベース（５３）の底部に設けられるものである。
【００１０】
図１及び図２に示すように、本考案に係るチャイルドシートの固定部材（１０）はベース（５３）の底部に固定される中空の収容パイプ（１１）と、該収容パイプ（１１）に伸縮自在に収容される固定パイプ（２０）と、該固定パイプ（２０）に設けられる掛止部材（３０）と、ベース（５３）の底部に設けられる収容止め具（４０）とを有する。
【００１１】
前記収容パイプ（１１）はベース（５３）の底部に設けられる中空の固定部材（１２）によってベース（５３）の底部に設けられ、前記固定パイプ（２０）は収容パイプ（１１）に挿入できる長部（２１）と、該長部（２１）と垂直する短部（２３）とを有するＬ字形の中空パイプであり、長部（２１）の末端に外側へ突出する弾性部材（２１１）が設けられ、短部（２３）に複数の位置決め孔（２３１）が形成される。
【００１２】
前記掛止部材（３０）は挿入部（３１）と掛止部（３３）を有するＬ字形であり、該挿入部（３１）が前記固定パイプ（２０）の短部（２３）に挿入されると共に、挿入部（３１）に短部（２３）の位置決め孔（２３１）と係止する位置決め部材（３２）が設けられ、掛止部（３３）はプレート状である。
【００１３】
前記収容止め具（４０）は収容部（４１）を有する略Ｃ字状であり、前記固定部材（１０）の間に設けられることにより、収容した固定部材（１０）の掛止部（３３）を収容する。
【００１４】
図１乃至図３に示すように、本考案に係るチャイルドシートの固定部材を使用する場合、チャイルドシート（５０）のベース（５３）をシート部（６０）の座部（６１）の上に設置させ、掛止部材（３０）の掛止部（３３）が座部（６１）と車内の底部（７０）との間に設けられると共に、シート部（６０）の座部（６１）を固定部材（１０）における固定パイプ（２０）と掛止部材（３０）との間に掛止することにより、チャイルドシート（５０）を車内のシート部（６０）の上に設置する。
【００１５】
急ブレーキの際、固定部材（１０）の固定パイプ（２０）における長部（２１）と短部（２３）と、掛止部材（３０）の挿入部（３１）と掛止部（３３）からなるコ字形の構造が車内のシート部（６０）の座部（６１）を掛止することによりチャイルドシート（５０）の瞬間移動を抑えるので、チャイルドシート（５０）を安定的に車内のシート部（６０）の座部（６１）に位置させることができる。
【００１６】
又、図２及び図４に示すように、本考案に係るチャイルドシートの固定部材（１０）を収容する場合、固定パイプ（２０）を回転すると共に、掛止部材（３０）の掛止部（３３）を収容止め具（４０）の収容部（４１）に収容することにより、固定部材（１０）をチャイルドシート（５０）の底部に収容することができる。
【産業上の利用可能性】
【００１７】
本考案は上記の構成を有するので、チャイルドシートの底部に設けられ、車内のシート部の座部に掛止するコ字形の固定部材を用いて、チャイルドシートを安定的にシート部の座部に設置することにより、乳児や幼児の乗車時の安全性を高めることができる。
【図面の簡単な説明】
【００１８】
【図１】本考案に係るチャイルドシートの固定部材によりチャイルドシートを車内のシート部に固定した状態を示す側面図である。
【図２】本考案に係るチャイルドシートの固定部材を示す分解斜視図である。
【図３】本考案に係るチャイルドシートの固定部材を示す側面断面図である。
【図４】本考案に係るチャイルドシートの固定部材を収容した状態を示す斜視図である。
【図５】従来のチャイルドシートを示す側面図である。
【符号の説明】
【００１９】
１０        固定部材
１１        収容パイプ
１２        固定部材
２０        固定パイプ
２１        長部
２１１      弾性部材
２３        短部
２３１      位置決め孔
３０        掛止部材
３１        挿入部
３２        位置決め部材
３３        掛止部材
４０        収容止め具
４１        収容部
５０        チャイルドシート
５２        背凭れ部
５３        ベース
６０        シート部
６１        座部
６２        背凭れ部
６３        シートベルト
７０        底部
【図１】
0003106433.tif 000003
【図２】
0003106433.tif 000004
【図３】
0003106433.tif 000005
【図４】
0003106433.tif 000006
【図５】
0003106433.tif 000007